(57)【要約】      （修正有）【課題】メッシュシートを展張してなる仮設フェンスを、コンパクトかつ簡易に設置することができるワイヤー式メッシュシートフェンスを提供する。【解決手段】メッシュシート１０を展張してなるワイヤー式メッシュシートフェンス１００において、複数本の支柱２０がメッシュシート１０の展張領域を介して地上に立設されて設置され、相隣る支柱２０の上端部間に上側可撓線材４０Ｕのみを架設するとともに、それらの支柱２０の下端部間に下側可撓線材４０Ｌのみを架設し、メッシュシート１０の上縁部に設けた複数個の係止孔が上側可撓線材４０Ｕに通した複数個の環７０に掛け止めされ、メッシュシート１０の下縁部に設けた複数個の係止孔が下側可撓線材４０Ｌに通した複数個の環７０に掛け止めされるとともに、メッシュシート１０の両端部が相隣る支柱２０のそれぞれに固定されてなるもの。【選択図】図１
0003194158.tif 000002
【実用新案登録請求の範囲】
【請求項１】
メッシュシートを展張してなるワイヤー式メッシュシートフェンスにおいて、
複数本の支柱がメッシュシートの展張領域を介して地上に立設されて設置され、
相隣る支柱の上端部間に上側可撓線材のみを架設するとともに、それらの支柱の下端部間に下側可撓線材のみを架設し、
メッシュシートの上縁部に設けた複数個の係止孔が上側可撓線材に通した複数個の環に掛け止めされ、メッシュシートの下縁部に設けた複数個の係止孔が下側可撓線材に通した複数個の環に掛け止めされるとともに、
メッシュシートの両端部が相隣る支柱のそれぞれに固定されてなることを特徴とするワイヤー式メッシュシートフェンス。
【請求項２】
前記支柱を倒れ止めする倒れ止め具を有し、
倒れ止め具は、メッシュシートの展張領域に平行に沿って設置される控え材により支柱を支持してなる請求項１に記載のワイヤー式メッシュシートフェンス。
【請求項３】
前記相隣る支柱のうちの一方の支柱の上端部にテンションクランプが取付けられ、他方の支柱の上端部に鬼クランプが取付けられ、上側可撓線材の一端を鬼クランプのフックに掛け、上側可撓線材の他端をテンションクランプの巻取軸に巻取ることにより、上側可撓線材を張設し、
前記相隣る支柱のうちの一方の支柱の下端部にテンションクランプが取付けられ、他方の支柱の下端部に鬼クランプが取付けられ、下側可撓線材の一端を鬼クランプのフックに掛け、下側可撓線材の他端をテンションクランプの巻取軸に巻取ることにより、下側可撓線材を張設してなる請求項１又は２に記載のワイヤー式メッシュシートフェンス。
【請求項４】
前記環がカラビナからなり、メッシュシートの上縁部に設けた複数個の係止孔が上側可撓線材に通した複数個のカラビナに掛け止めされ、メッシュシートの下縁部に設けた複数個の係止孔が下側可撓線材に通した複数個のカラビナに掛け止めされてなる請求項１〜３のいずれかに記載のワイヤー式メッシュシートフェンス。
【考案の詳細な説明】
【技術分野】
【０００１】
本考案はワイヤー式メッシュシートフェンスに関する。
【背景技術】
【０００２】
従来、スチールパネルを並べて取付けた仮設フェンスに比して、運搬及び組立ての容易な、メッシュシートを展張してなる仮設フェンスとして、特許文献１に記載のものがある。
【０００３】
特許文献１に記載の仮設フェンスは、地上に立設される枠体が相隣る支柱と、その上下を結ぶ横部材とからなる。そして、メッシュシートは周縁に沿って設けた複数個の係止孔を有し、それらの係止孔を枠体の支柱と上下の横部材のそれぞれに設けたフックに固定的に掛け止めすることとしている。
【０００４】
尚、特許文献１に記載の仮設フェンスでは、メッシュシートが掛け止めされた枠体を倒れ止めするために、枠体を支持する控え材をメッシュシートの展張領域に直交するように設置している。
【先行技術文献】
【特許文献】
【０００５】
【特許文献１】実開平7-26516号公報
【考案の概要】
【考案が解決しようとする課題】
【０００６】
特許文献１に記載の仮設フェンスには以下の問題点がある。
(1)メッシュシートが上下の横部材を備える枠体に掛け止めされており、上側の横部材の自重が支柱に付与する枠体及びメッシュシートに直交する方向への回転モーメントは大きい。従って、この回転モーメントに起因する枠体及びメッシュシートの倒れ止めのために、枠体の支柱を支持する控え材をメッシュシートの展張領域に直交配置する必要があり、仮設フェンスに囲まれる敷地内の有効利用面積が狭小化する。
【０００７】
(2)上側の横部材の自重が支柱に付与する枠体及びメッシュシートに直交する方向への回転モーメントは大きく、この回転モーメントに起因する枠体及びメッシュシートの倒れ止めのために、枠体の相隣る支柱間隔、換言すれば枠体の横方向長さは小さ目になる。これは、敷地の長さに対して用意すべき枠体の使用個数が多くなることを意味する。従って、多数の枠体のための設置工数が多くし、各枠体の一直線状化のための設置工数も多くなり、枠体を設置する施工時間が長くなる。
【０００８】
(3)仮設フェンスの内外への一時的な通行を許容したり、強風対策のために必要とされるメッシュシートの取付け、取外しが、メッシュシートの各係止孔の１個１個を枠体の支柱と上下の横部材のそれぞれに設けた各フックの１個１個に着脱することにてなされる。従って、メッシュシートの取付け、取外しの施工時間が長くなり、仮設フェンスの養生や復旧に長時間を要する。
【０００９】
本考案の課題は、メッシュシートを展張してなる仮設フェンスを、コンパクトかつ簡易に設置することにある。
【課題を解決するための手段】
【００１０】
請求項１に係る考案は、メッシュシートを展張してなるワイヤー式メッシュシートフェンスにおいて、複数本の支柱がメッシュシートの展張領域を介して地上に立設されて設置され、相隣る支柱の上端部間に上側可撓線材のみを架設するとともに、それらの支柱の下端部間に下側可撓線材のみを架設し、メッシュシートの上縁部に設けた複数個の係止孔が上側可撓線材に通した複数個の環に掛け止めされ、メッシュシートの下縁部に設けた複数個の係止孔が下側可撓線材に通した複数個の環に掛け止めされるとともに、メッシュシートの両端部が相隣る支柱のそれぞれに固定されてなるようにしたものである。
【００１１】
請求項２に係る考案は、請求項１に係る考案において更に、前記支柱を倒れ止めする倒れ止め具を有し、倒れ止め具は、メッシュシートの展張領域に平行に沿って設置される控え材により支柱を支持してなるようにしたものである。
【００１２】
請求項３に係る考案は、請求項１又は２に係る考案において更に、前記相隣る支柱のうちの一方の支柱の上端部にテンションクランプが取付けられ、他方の支柱の上端部に鬼クランプが取付けられ、上側可撓線材の一端を鬼クランプのフックに掛け、上側可撓線材の他端をテンションクランプの巻取軸に巻取ることにより、上側可撓線材を張設し、前記相隣る支柱のうちの一方の支柱の下端部にテンションクランプが取付けられ、他方の支柱の下端部に鬼クランプが取付けられ、下側可撓線材の一端を鬼クランプのフックに掛け、下側可撓線材の他端をテンションクランプの巻取軸に巻取ることにより、下側可撓線材を張設してなるようにしたものである。
【００１３】
請求項４に係る考案は、請求項１〜３のいずれかに係る考案において更に、前記環がカラビナからなり、メッシュシートの上縁部に設けた複数個の係止孔が上側可撓線材に通した複数個のカラビナに掛け止めされ、メッシュシートの下縁部に設けた複数個の係止孔が下側可撓線材に通した複数個のカラビナに掛け止めされてなるようにしたものである。
【考案の効果】
【００１４】
（請求項１）
(a)相隣る支柱の上下に上側可撓線材と下側可撓線材のみが架設され、メッシュシートの上縁部と下縁部がこれらの上側可撓線材と下側可撓線材に掛け止めされるものであり、上側可撓線材の自重が支柱に付与する支柱及びメッシュシートに直交する方向への回転モーメントは小さい。従って、この回転モーメントに起因する支柱及びメッシュシートの倒れ止めのために、支柱を支持する控え材をメッシュシートの展張領域に直交配置する必要がなく、ワイヤー式メッシュシートフェンスに囲まれる敷地内の有効利用面積の狭小化を回避できる。
【００１５】
(b)相隣る支柱の上下に架設した上側可撓線材と下側可撓線材にメッシュシートの上縁部と下縁部を掛け止めしたものであり、上側可撓線材と下側可撓線材をそれらの支柱の間にて引っ張る緊張状態で張設することにより、それらの支柱の間隔を大きくし、それらの支柱の使用個数を少なくできる。従って、支柱のための設置工数を少なくし、しかもそれらの支柱の間に架設される上側可撓線材と下側可撓線材の通りを容易に一直線状化でき、支柱及び可撓線材を短時間で設置できる。
【００１６】
(c)ワイヤー式メッシュシートフェンスの内外への一時的な通行を許容したり、強風対策のために必要とされるメッシュシートの取付け、取外し時には、メッシュシートの上縁部と下縁部の係止孔が掛け止めされた上下の環を、上側可撓線材と下側可撓線材に沿って一端側に滑らせて引き寄せることで、メッシュシートをカーテンの如くに上側可撓線材と下側可撓線材の一端側に直ちにまとめることができる。従って、メッシュシートの取付け、取外しの施工時間を短くし、ワイヤー式メッシュシートフェンスの養生や復旧の短時間化を図ることができる。
【００１７】
（請求項２）
(d)前記支柱を倒れ止めする倒れ止め具を有し、倒れ止め具は、メッシュシートの展張領域に平行に沿って設置される控え材により支柱を支持する。即ち、支柱と控え材は、メッシュシートの展張領域（展開平面）に相平行する平面内に配置される。相隣る支柱の間にて上側可撓線材と下側可撓線材を引張って緊張状態で張設するとき、それらの引張力を付与された支柱を上記控え材によって確実に倒れ止めできる。同時に、この控え材はメッシュシートの展張領域に直交配置されるものでなく、ワイヤー式メッシュシートフェンスに囲まれる敷地内の有効利用面積の狭小化を回避できる。
【００１８】
（請求項３）
(e)相隣る支柱の間で、上側可撓線材を上テンションクランプと上鬼クランプを用いて架設し、上テンションクランプによって巻取ることにより、簡易に張設できる。
【００１９】
また、相隣る支柱の間で、下側可撓線材を下テンションクランプと下鬼クランプを用いて架設し、下テンションクランプによって巻取ることにより、簡易に張設できる。
【００２０】
（請求項４）
(f)メッシュシートの上縁部と下縁部の係止孔が掛け止めされる上下の環がカラビナからなるものとした。これにより、上下の環を上側可撓線材と下側可撓線材に簡易に通し、かつこれらの環にメッシュシートの上縁部と下縁部の係止孔を簡易に掛け止めできる。
【図面の簡単な説明】
【００２１】
【図１】図１はワイヤー式メッシュシートフェンスの一実施例を示す模式正面図である。
【図２】図２は倒れ止め具を示す模式図である。
【図３】図３はテンションクランプを示す模式図である。
【図４】図４は鬼クランプを示す模式図である。
【図５】図５は可撓線材に通したカラビナにメッシュシートを掛け止めした状態を示す模式図である。
【図６】図６は可撓線材の中間部を鬼クランプのフックに載せて支持した状態を示す模式図である。
【考案を実施するための形態】
【００２２】
図１に示すワイヤー式メッシュシートフェンス１００は、工事現場等の周囲に巡らす仮囲いであり、目の粗いプラスチック製織物等からなるメッシュシート１０を展張してなるものである。
【００２３】
ワイヤー式メッシュシートフェンス１００は、複数本の金属製管材からなる支柱２０が、メッシュシート１０の展張領域Ａを介して、地上に打ち込まれることにより立設されて設置される。支柱２０の側傍の地上には補強杭２１が打ち込まれて立設され、支柱２０は補強杭２１に設けたクランプ２１Ａにより抱持されボルト止めされて補強される。
【００２４】
メッシュシート１０は、倒れ止め具３０を伴って倒れ止めされる。倒れ止め具３０は、メッシュシート１０の上記天井領域Ａに平行に沿って設置される控え材（斜材）３１により、支柱２０を支持する。控え材３１は、支柱２０の中間部から斜め下方の地上に向けて延在される斜材からなり、支柱２０を支持する。支柱２０及び倒れ止め具３０（本実施例では控え材３１、横材３２、補強柱３４）は、メッシュシート１０の展張領域（展開平面）に相平行する平面内に配置される。具体的には、倒れ止め具３０は、図２に示す如く、控え材３１（斜材）と横材３２とを有して構成される。倒れ止め具３０は、控え材３１の下端部を横材３２の一端側に溶接した連結ブラケット３３にピン結合し、支柱２０の中間部の上下２カ所が控え材３１の上端部と横材３２の他端部のそれぞれに設けたクランプ３１Ａ、３２Ａにより抱持されボルト止めされる。更に、倒れ止め具３０は、横材３２の一端部に設けたクランプ３２Ｂにより、地上に打ち込まれて立設された補強柱３４の中間部を抱持してボルト止めする。
【００２５】
ワイヤー式メッシュシートフェンス１００は、相隣る支柱２０、２０の上端部間に金属製ワイヤー等からなる上側可撓線材４０Ｕのみを架設するとともに、それらの支柱２０、２０の下端部間に金属製ワイヤー等からなる下側可撓線材４０Ｌのみを架設する。
【００２６】
ここで、相隣る支柱２０、２０のうちの一方の支柱２０の上端部には、図３に示す如く、上テンションクランプ５０Ｕが取付けられる。他方の支柱２０の上端部には、図４に示す如く、上鬼クランプ６０Ｕが取付けられる。上側可撓線材４０Ｕの一端を上鬼クランプ６０Ｕのフック６１Ｈに掛け、上側可撓線材４０Ｕの他端を上テンションクランプ５０Ｕの巻取軸５１に巻取ることにより、上側可撓線材４０Ｕを相隣る支柱２０、２０の間で引張って緊張状態で張設する。
【００２７】
また、相隣る支柱２０、２０のうちの一方の支柱２０の下端部には、下テンションクランプ５０Ｌが取付けられる。他方の支柱２０の下端部には、下鬼クランプ６０Ｌが取付けられる。下側可撓線材４０Ｌの一端を下鬼クランプ６０Ｌのフック６１Ｈに掛け、下側可撓線材４０Ｌの他端を下テンションクランプ５０Ｌの巻取軸５１に巻取ることにより、下側可撓線材４０Ｌを相隣る支柱２０、２０の間で引張って緊張状態で張設する。
【００２８】
尚、上テンションクランプ５０Ｕ（下テンションクランプ５０Ｌも同じ）は、レンチによって巻取軸５１を巻締め方向に回転でき、巻取軸５１に設けたラチェット５１Ａとストッパ５１Ｂの係合により巻取軸５１の巻き緩みを阻止し、ストッパ５１Ｂをラチェット５１Ａとの係合から外すことで巻取軸５１を巻き緩み方向に回転できる。
【００２９】
ワイヤー式メッシュシートフェンス１００は、図５に示す如く、メッシュシート１０の上縁部に設けた複数個の上係止孔１１Ｕが上側可撓線材４０Ｕに通した複数個の環７０に掛け止めされる。また、メッシュシート１０の下縁部に設けた複数個の下係止孔１１Ｌ（不図示）が下側可撓線材４０Ｌに通した複数個の環７０に掛け止めされる。更に、メッシュシート１０の両端部の上下２カ所（上下２カ所に中間部を加えた３カ所以上であっても可）に設けた係止孔１１Ｋ（不図示）が相隣る支柱２０、２０のそれぞれに紐８０で固定される。
【００３０】
尚、ワイヤー式メッシュシートフェンス１００においては、メッシュシート１０に設けられる係止孔１１Ｕ、１１Ｌ、１１Ｋを鳩目を用いて形成できる。
【００３１】
尚、ワイヤー式メッシュシートフェンス１００においては、上側可撓線材４０Ｕと下側可撓線材４０Ｌに通される環７０として、カラビナを用いることができる。
【００３２】
また、ワイヤー式メッシュシートフェンス１００においては、相隣る支柱２０、２０の中間部に、中間柱２２を立設することもできる。中間柱２２の上端部に図６に示す如くの鬼クランプ２３を設け、鬼クランプ２３のフック２３Ｈを上向きにし、上側可撓線材４０Ｕの中間部を上記フック２３Ｈに上から載せて支持し、上側可撓線材４０Ｕのたるみを防止する。中間柱２２の下端部にも鬼クランプ２３を設け、鬼クランプ２３のフック２３Ｈを下向きにし、下側可撓線材４０Ｕの中間部を上記フック２３Ｈに下から掛けて下側可撓線材４０Ｕの水平を保つ。
【００３３】
本実施例によれば以下の作用効果を奏する。
(a)相隣る支柱２０の上下に上側可撓線材４０Ｕと下側可撓線材４０Ｌのみが架設され、メッシュシート１０の上縁部と下縁部がこれらの上側可撓線材４０Ｕと下側可撓線材４０Ｌに掛け止めされるものであり、上側可撓線材４０Ｕの自重が支柱２０に付与する支柱２０及びメッシュシート１０に直交する方向への回転モーメントは小さい。従って、この回転モーメントに起因する支柱２０及びメッシュシート１０の倒れ止めのために、支柱２０を支持する控え材３１をメッシュシート１０の展張領域Ａに直交配置する必要がなく、ワイヤー式メッシュシートフェンス１００に囲まれる敷地内の有効利用面積の狭小化を回避できる。
【００３４】
(b)相隣る支柱２０の上下に架設した上側可撓線材４０Ｕと下側可撓線材４０Ｌにメッシュシート１０の上縁部と下縁部を掛け止めしたものであり、上側可撓線材４０Ｕと下側可撓線材４０Ｌをそれらの支柱２０の間にて引っ張る緊張状態で張設することにより、それらの支柱２０の間隔を大きくし、それらの支柱２０の使用個数を少なくできる。従って、支柱２０のための設置工数を少なくし、しかもそれらの支柱２０の間に架設される上側可撓線材４０Ｕと下側可撓線材４０Ｌの通りを容易に一直線状化でき、支柱２０及び可撓線材を短時間で設置できる。
【００３５】
(c)ワイヤー式メッシュシートフェンス１００の内外への一時的な通行を許容したり、強風対策のために必要とされるメッシュシート１０の取付け、取外し時には、メッシュシート１０の上縁部と下縁部の係止孔１１Ｕ、１１Ｌが掛け止めされた上下の環７０を、上側可撓線材４０Ｕと下側可撓線材４０Ｌに沿って一端側に滑らせて引き寄せることで、メッシュシート１０をカーテンの如くに上側可撓線材４０Ｕと下側可撓線材４０Ｌの一端側に直ちにまとめることができる。従って、メッシュシート１０の取付け、取外しの施工時間を短くし、ワイヤー式メッシュシートフェンス１００の養生や復旧の短時間化を図ることができる。
【００３６】
(d)前記支柱２０を倒れ止めする倒れ止め具３０を有し、倒れ止め具３０は、メッシュシート１０の展張領域Ａに平行に沿って設置される控え材３１により支柱２０を支持する。即ち、支柱２０と控え材３１は、メッシュシート１０の展張領域（展開平面）に相平行する平面内に配置される。相隣る支柱２０の間にて上側可撓線材４０Ｕと下側可撓線材４０Ｌを引張って緊張状態で張設するとき、それらの引張力を付与された支柱２０を上記控え材３１によって確実に倒れ止めできる。同時に、この控え材３１はメッシュシート１０の展張領域Ａに直交配置されるものでなく、ワイヤー式メッシュシートフェンス１００に囲まれる敷地内の有効利用面積の狭小化を回避できる。
【００３７】
(e)相隣る支柱２０の間で、上側可撓線材４０Ｕを上テンションクランプ５０Ｕと上鬼クランプ６０Ｕを用いて架設し、上テンションクランプ５０Ｕによって巻取ることにより、簡易に張設できる。
【００３８】
また、相隣る支柱２０の間で、下側可撓線材４０Ｌを下テンションクランプ５０Ｌと下鬼クランプ６０Ｌを用いて架設し、下テンションクランプ５０Ｌによって巻取ることにより、簡易に張設できる。
【００３９】
(f)メッシュシート１０の上縁部と下縁部の係止孔１１Ｕ、１１Ｌが掛け止めされる上下の環７０がカラビナからなるものとした。これにより、上下の環７０を上側可撓線材４０Ｕと下側可撓線材４０Ｌに簡易に通し、かつこれらの環７０にメッシュシート１０の上縁部と下縁部の係止孔１１Ｕ、１１Ｌを簡易に掛け止めできる。
【００４０】
以上、本考案の実施例を図面により詳述したが、本考案の具体的な構成はこの実施例に限られるものではなく、本考案の要旨を逸脱しない範囲の設計の変更等があっても本考案に含まれる。
【産業上の利用可能性】
【００４１】
本考案によれば、メッシュシートを展張してなる仮設フェンスを、コンパクトかつ簡易に設置することができる。
【符号の説明】
【００４２】
１０  メッシュシート
１１Ｕ、１１Ｌ  係止孔
２０  支柱
３０  倒れ止め具
３１  控え材
４０Ｕ、４０Ｌ  可撓線材
５０Ｕ、５０Ｌ  テンションクランプ
５１  巻取軸
６０Ｕ、６０Ｌ  鬼クランプ
６１  フック
７０  環
１００  ワイヤー式メッシュシートフェンス
【図１】
0003194158.tif 000003
【図２】
0003194158.tif 000004
【図３】
0003194158.tif 000005
【図４】
0003194158.tif 000006
【図５】
0003194158.tif 000007
【図６】
0003194158.tif 000008